【手続補正書】
【提出日】平成18年12月18日(2006.12.18)
【手続補正１】
【補正対象書類名】明細書
【補正対象項目名】特許請求の範囲
【補正方法】変更
【補正の内容】
【特許請求の範囲】
【請求項１】  ビデオ処理装置を動作させる方法であって、
電子メール・メッセージをユーザから遠隔的に受信するステップであって、該電子メール・メッセージが動作制御命令と、第１のタイプの番組識別情報および第２のタイプの番組識別情報のうち少なくとも一つを含む番組識別情報を含む、前記受信するステップと、
前記電子メール・メッセージを処理して該電子メール・メッセージが第１のタイプの番組識別情報を含むかどうかを判定するステップと、
前記電子メール・メッセージが第１のタイプの番組識別情報を含む場合は、前記番組識別情報によって識別される番組に関連するイベントをスケジュールするステップと、
前記電子メール・メッセージが第１のタイプの番組識別情報を含まない場合は、前記電子メール・メッセージを処理して該電子メール・メッセージが第２のタイプの番組識別情報を含むかどうかを判定するステップと、
前記電子メール・メッセージが第２のタイプの番組識別情報を含む場合は、前記番組を求めて番組ガイド情報をサーチするステップと、
前記サーチするステップの間に前記番組が見つかった場合は前記イベントをスケジュールするステップと、
を含む前記方法。
【手続補正２】
【補正対象書類名】明細書
【補正対象項目名】０００２
【補正方法】変更
【補正の内容】
【０００２】
（発明の背景）
電子番組ガイド（Ｅｌｅｃｔｒｏｎｉｃ  Ｐｒｏｇｒａｍ  Ｇｕｉｄｅ：ＥＰＧ）によって、視聴者は、或る期間における任意の時間に、将来までの、例えば７日先までの任意のチャンネルを選択できる。いったん或る特定の番組が例えばハイライト（ｈｉｌｉｇｈｔ：強調表示）等によって選択されると、視聴者はその選択された番組に関係する諸機能を実行できるようになる。例えば、その番組が現在放送中である場合に、視聴者は瞬時にその番組に切換えることもできる。また、テレビジョンが適正に構成（設定）されて記録装置に適正に接続されている場合は、視聴者はワンタッチによるビデオ・カセット記録（Ｖｉｄｅｏ  Ｃａｓｓｅｔｔｅ  Ｒｅｃｏｒｄｉｎｇ：ＶＣＲ）等をプログラム（ｐｒｏｇｒａｍ：予約設定）することもできる。
【手続補正３】
【補正対象書類名】明細書
【補正対象項目名】０００３
【補正方法】変更
【補正の内容】
【０００３】
電子番組ガイド（ＥＰＧ）は便利な制御インタフェースを提供するが、ＥＰＧの利用は、ユーザがその場に居てそのＥＰＧを見てそのＥＰＧと対話（ｉｎｔｅｒａｃｔ）している場合（状況）に制限されている。従って、この技術分野において、ビデオ処理装置を動作させるために必要な制御情報を供給するための電子メール・メッセージを遠隔的に用いて、ビデオ処理装置を動作させることができる便利な方法に対するニーズ（ｎｅｅｄ：必要性）が存在する。
【手続補正４】
【補正対象書類名】明細書
【補正対象項目名】０００６
【補正方法】変更
【補正の内容】
【０００６】
本発明の１つの特徴によれば、メッセージに含まれているパスワードを検証（ｖｅｒｉｆｙ）したことに応答して、ビデオ処理装置は所望の時間にターンオン（付勢）され、この時間とチャンネル・データに応じて番組が選択される。
【手続補正５】
【補正対象書類名】明細書
【補正対象項目名】０００７
【補正方法】変更
【補正の内容】
【０００７】
本発明の別の特徴によれば、制御情報は、時間とチャンネル・データに関連付けられた番組を記録するように、そのビデオ処理装置に相互接続されたビデオ記録装置を制御する記録命令（コマンド）を含んでいる。特に、この制御ステップは、上記時間とチャンネル・データを用いて上記ビデオ記録装置に関連付けられたイベント（ｅｖｅｎｔ）タイマをプログラムすることを含んでいる。
【手続補正６】
【補正対象書類名】明細書
【補正対象項目名】０００８
【補正方法】変更
【補正の内容】
【０００８】
本発明の更に別の特徴によれば、制御情報は記録命令および番組データを含んでいる。この番組データは電子番組ガイドにパスされて（渡されて）、番組データに関連付けられた時間とチャンネル情報が決定される。
【手続補正７】
【補正対象書類名】明細書
【補正対象項目名】００１０
【補正方法】変更
【補正の内容】
【００１０】
主マイクロプロセッサ１１１０は、インターネットに情報をアップロード（ｕｐｌｏａｄ）し、インターネットから情報をダウンロード（ｄｏｗｎｌｏａｄ）する機能を実行する通信インタフェース・ユニット１１１３の動作をも制御する。通信インタフェース・ユニット１１１３は、例えば電話回線を介してまたはケーブル・テレビジョン回線を介して、インターネット・サービス・プロバイダに接続するための例えばモデムを含んでいる。この通信機能によって、図１に示されているシステムは、テレビ番組を受信する機能に加えて、電子メッセージ機能および例えばウェブ（ｗｅｂ）ブラウズ機能のようなインターネット関係の諸機能を実行することができる。ＣＰＵ１１１２は、マイクロプロセッサ１１１０内に含まれている諸機能を、例えば補助データ・プロセッサ１１１５およびオンスクリーン表示（Ｏｎ−Ｓｃｒｅｅｎ  Ｄｉｓｐｌａｙ：ＯＳＤ）プロセッサ１１１７を制御する。補助データ・プロセッサ１１１５は、ビデオ信号ＰＩＰＶから例えばジェムスタ（Ｇｅｍｓｔａｒ（登録商標））データのような補助データを抽出する。
【手続補正８】
【補正対象書類名】明細書
【補正対象項目名】００１１
【補正方法】変更
【補正の内容】
【００１１】
ジェムスタ（Ｇｅｍｓｔａｒ（登録商標））データは、既知のフォーマットで番組ガイド・データ（例えば、ＥＰＧ）情報を与えるものであって、典型的には、特定のテレビジョン・チャンネル上だけで受信される。そのテレビジョン受信機は、通常、典型的には、そのテレビジョン受信機が使用されていない或る期間（例えば、午前２時）において、そのチャンネルに同調してジェムスタ（Ｇｅｍｓｔａｒ（登録商標））データを抽出しなければならない。その時、ＣＰＵ１１１２は、ジェムスタ（Ｇｅｍｓｔａｒ（登録商標））データに用いられる例えばライン１６のような水平ライン期間からその補助データが抽出されるように復号器（デコーダ）１１１５を構成する。ＥＰＧ表示のために、そのＥＰＧ表示に含まれている表示データが、ＯＳＤプロセッサ１１１７によって生成され、高速スイッチ（切換）信号ＦＳＷに応答してビデオ信号プロセッサ１１５５によって出力信号に含められる。
【手続補正９】
【補正対象書類名】明細書
【補正対象項目名】００１３
【補正方法】変更
【補正の内容】
【００１３】
図２は、放送番組を表すＭＰＥＧ符号化トランスポート・ストリームを受信するＭＰＥＧ互換（ｃｏｍｐａｔｉｂｌｅ）システムを示しており、それは電子メッセージを含むインターネット情報を処理することができる。また、ユーザ・インタフェース・システムは、その他のタイプの符号化データストリームに関係する非ＭＰＥＧ互換システム（例えば、ディジタル・ビデオ・ディスク（ＤＶＤ）システム）を含めたその他のタイプのディジタル信号処理装置にも適用できる。以下に説明する典型例のシステムは放送番組を処理するものとして説明する。“番組”という用語は、例えば、電話メッセージ、コンピュータ・プログラム、インターネット・データ、オーディオ・プレゼンテーション（ａｕｄｉｏ  ｐｒｅｓｅｎｔａｔｉｏｎ：音響表現）（例えば、遠隔ソース（供給源）からのもの、またはローカル・ソースからのもの）、ビジュアル・プレゼンテーション（ｖｉｓｕａｌ  ｐｒｅｓｅｎｔａｔｉｏｎ：視覚表現）、オーディオ・ビジュアル・プレゼンテーション（例えば、遠隔ソースからのもの、またはローカル・ソースからのもの）、またはその他の通信のような任意の形態のパケット化データを表すものとして用いられる。図２に示されているテレビジョン受信機における残りの周知の諸機能については、本発明の理解に必要な場合を除いて説明しない。
【手続補正１０】
【補正対象書類名】明細書
【補正対象項目名】００１５
【補正方法】変更
【補正の内容】
【００１５】
選択器（セレクタ）３５からマルチプレクサ（ｍｕｘ）３７に供給されるデータは、ＭＰＥＧシステム標準２．４に規定されているＭＰＥＧ準拠のパケット化トランスポート・データストリームの形式になっており、番組ガイド情報と１つ以上の番組チャンネルのデータ・コンテンツ（ｄａｔａ  ｃｏｎｔｅｎｔ）とを含んでいる。パケット識別子（Ｐａｃｋｅｔ  Ｉｄｅｎｔｉｆｉｅｒ：ＰＩＤ）は、特定の番組チャンネルを含んでいる個々のパケットを識別する。このトランスポート・ストリームは番組固有の情報（Ｐｒｏｇｒａｍ  Ｓｐｅｃｉｆｉｃ  Ｉｎｆｏｒｍａｔｉｏｎ：ＰＳＩ）を含んでいる。この番組固有の情報を用いて、パケット識別子を識別して個々のデータ・パケットが組み立てられて、パケット化データストリームを含んでいる全ての番組チャンネルのコンテンツが復元される。トランスポート・システム２５は、システム制御器（コントローラ）１１５の制御の下で、入力トランスポート・ストリームから、記憶装置９０から、または通信インタフェース・ユニット１１６を介してインターネット・サービス・プロバイダから、番組ガイド情報を得てコレート（ｃｏｌｌａｔｅ：照合）する。個々のパケットは、特定の番組チャンネル・コンテンツまたは番組ガイド情報の何れかを含んでおり、ヘッダ情報内に含まれているパケット識別子（ＰＩＤ）によって識別される。
【手続補正１１】
【補正対象書類名】明細書
【補正対象項目名】００１６
【補正方法】変更
【補正の内容】
【００１６】
図２に示されているビデオ受信機に組み込まれているユーザ・インタフェースによって、ユーザは、オンスクリーン表示（ＯＳＤ）メニューの中から所望の機能（ｆｅａｔｕｒｅ）を、例えば電子番組ガイド（ＥＰＧ）を選択することによって、種々の機能を起動することができる。
【手続補正１２】
【補正対象書類名】明細書
【補正対象項目名】００１７
【補正方法】変更
【補正の内容】
【００１７】
復号器５５によってユニット４５および５０から受け取られたパケットは、オーディオ、ビデオ、キャプションおよびその他の情報を含む番組コンテンツを含んでおり、ユニット６５によって復号器５５からパケット・バッファ６０における指定されたアプリケーション装置バッファに送られる。アプリケーション制御ユニット７０は、バッファ６０における指定されたバッファからオーディオ、ビデオ、キャプション（ｃａｐｔｉｏｎ）およびその他のデータを順次取り出し（検索し）て、得られたデータをオーディオ復号器８０およびビデオ復号器８５および高速データ・ポート７５に供給する。
【手続補正１３】
【補正対象書類名】明細書
【補正対象項目名】００１８
【補正方法】変更
【補正の内容】
【００１８】
さらに、制御器１１５は、図１のインタフェース・ユニット１１１３と同様の形態で動作する通信インタフェース・ユニット１１６に結合されている。即ち、ユニット１１６は、インターネットへ情報をアップロードしインターネットから情報をダウンロードする機能を実行する。通信インタフェース・ユニット１１６は、例えば電話回線を介してまたはケーブル・テレビジョン回線を介してインターネット・サービス・プロバイダに接続するための例えばモデム等を含んでいる。この通信機能によって、図２に示されているシステムは、テレビ番組の受信機能に加えて、電子メッセージ機能および例えばウェブ・ブラウズ機能のようなインターネット関係の諸機能を実行する。
【手続補正１４】
【補正対象書類名】明細書
【補正対象項目名】００１９
【補正方法】変更
【補正の内容】
【００１９】
図３は、本発明に従って、図１の制御器１１１０によって、図２の制御器１１５によって、または、電子ホスト装置の適当にプログラムされたその他の制御構成によって実行され得る典型例のプログラムのソフトウェア・フローチャートを示している。ここで用いられる“電子ホスト装置”という用語は、テレビジョン受信機、ビデオ記録装置、ディジタル・ビデオ・ディスクまたはセットトップ・ボックスに限定されることなく、テレビジョン受信機またはパーソナル・コンピュータに組み込まれているかまたはその外部に接続されているかに関係なく、ハイブリッド（ｈｙｂｒｉｄ：混成形態）（例えば、ＰＣＴＶ）、衛星テレビジョンおよび／またはデータ信号変換器、および番組ガイド受信機ユニット等をも含むものとして用いられる。
【手続補正１５】
【補正対象書類名】明細書
【補正対象項目名】００２２
【補正方法】変更
【補正の内容】
【００２２】
電子メッセージがチャンネルおよび時間情報を含んでいない場合には、ステップ３２０において、メッセージがサーチされて例えば番組名のような任意の番組情報が与えられているかどうかが判定される。そのような情報も与えられていない場合には、マイクロプロセッサ１１１０は、ステップ３２２において、適当な応答メッセージの発生を開始する。番組情報が与えられている場合には、マイクロプロセッサ１１１０は、ステップ３２４において、電子番組ガイドのサーチ（検索）を開始して、その基準（番組情報）を満たす全ての番組を決定する。サーチ基準を満たす番組が見つからなかった場合は、ステップ３２２において適当なメッセージがユーザに送られる。ステップ３２４の期間に番組が見つかった場合は、ステップ３１６において、適正なスケジューラ中に対応するチャンネルおよび時間情報がプログラムされ、同様にステップ３１８においてユーザに通知される。
【手続補正１６】
【補正対象書類名】明細書
【補正対象項目名】００２４
【補正方法】変更
【補正の内容】
【００２４】
次いで、電子メッセージをテレビジョンに送ることによって、ユーザはテレビジョンを遠隔的に制御することができる。例えば、たぶんオフィスから送られた電子メッセージを介して、ユーザは、所望の時間にターンオンして或る番組を選択するようにテレビジョンを“プログラム”することができる。そのようにして、ユーザは、６時にターンオンしてイブニング・ニュースを選択するようにテレビジョンをプログラムして、自宅に入ったときに、ニュースがオンになるようにすることができる。他の例は、ユーザが遠隔位置からイベントの記録をセットアップ（設定）できるようにすることである。例えば、ユーザが自宅を出る前に自分のＶＣＲをプログラムし忘れた場合に、ユーザは、電子メッセージを送ることにより所望の記録をセットアップすることができる。
【手続補正１７】
【補正対象書類名】明細書
【補正対象項目名】００２５
【補正方法】変更
【補正の内容】
【００２５】
このような記録は、記録装置においてタイマを直接プログラムすることによって、またはテレビジョン受信機において“ワンタッチ（ｏｎｅ−ｔｏｕｃｈ）” 記録をセットアップすることによって行うことができる。メッセージが記録装置に直接送られる場合は、そのメッセージは、タイマをプログラムするのに必要な時間およびチャンネル情報を含んでいるはずである。テレビジョン受信機に、または電子番組ガイドを受信して処理することができるその他の任意のビデオ処理装置にメッセージが送られた場合に、そのメッセージは、例えば番組の名称等の番組情報だけを含んでいてもよい。このような場合、その基準（例えば、番組情報）を満たす番組を求めて電子番組ガイドをサーチすればよい。必要な時間およびチャンネル情報は電子番組ガイドから決定できる。
【手続補正１８】
【補正対象書類名】明細書
【補正対象項目名】００２７
【補正方法】変更
【補正の内容】
【００２７】
メッセージのコンテクスト（ｃｏｎｔｅｘｔ）は、パスワード、チャンネル番号、開始および停止時間、日付およびテープ速度を含んでいてもよい。ビデオ処理装置は、例えば“記録（ＲＥＣＯＲＤ）”等の一貫（整合）したサブジェクト（主題）ヘッダを用いて、特定の入来電子メッセージが制御情報を含んでいるかどうかを判定することもできる。さらに、メッセージ用の一貫した構成を用いてもよく、例えば、ワード“レコーディング（ＲＥＣＯＤＩＮＧ）”を含んでいる特定のフィールドを用いることもできる。さらに、専用のウェブ・サイトを用いて、ユーザが適正なメッセージを組立てるのを支援してもよい。専用のウェブ・サイトの利点は、安全な（即ち、暗号化された）電子メッセージを送る機能である。それによって、他の誰かのビデオ処理装置を偶発的にプログラムする可能性を無くすことができる。さらに、パスワードを用いて、メッセージがユーザからのものであることを検証してもよい。即ち、それによって、許可されていない誰かからのメッセージに応動する可能性を無くす。
【手続補正１９】
【補正対象書類名】明細書
【補正対象項目名】００２８
【補正方法】変更
【補正の内容】
【００２８】
図４には、典型的なＥＰＧメニュー４００が示されている。メニュー４００は“格子状のガイド”４００Ａを含んでおり、ガイド４００Ａは、新聞にリストアップされているテレビジョン・スケジュールに類似した時間およびチャンネルのフォーマットの番組スケジュールを示している。メニュー４００において、複数の番組識別子（例えば、チャンネル番号４１０〜４１６、チャンネル局名４２０〜４２６、ウェブ・サイト識別子４７０、インターネット識別子４５０、および電子メッセージ識別子４６０等）の各々は、番組のそれぞれのものを設定するように、ユーザによって選択することができる。選択された番組識別子がオーディオ番組、ビデオ番組、またはオーディオビジュアル番組と関連付けられているとき、制御器１１１０は、電子ホスト装置または関連する受信機を適当なチャンネルに同調させることにより、またはその番組を表示するおよび／または可聴形態で放送することにより応答する。
【手続補正２０】
【補正対象書類名】明細書
【補正対象項目名】００２９
【補正方法】変更
【補正の内容】
【００２９】
図５には、電子メッセージ表示５００が示されている。電子メッセージ表示５００は、少なくとも、ＳＥＮＤＥＲ（送信者または送信機）５０２、ＳＵＢＪＥＣＴ（サブジェクト、主題、対象）５０６（メッセージのタイプを識別するためのもの、即ちＲＥＣＯＲＤ（記録））、およびメッセージ部分５０８を含んでいる。上述のように、メッセージ部分５０８は、特定の番組の時間およびチャンネル情報を含んでいてもよく、または番組情報を含んでいてもよい。
【手続補正２１】
【補正対象書類名】明細書
【補正対象項目名】００３０
【補正方法】変更
【補正の内容】
【００３０】
番組情報は単なる番組名であってもよく、またはより詳しい情報を含んでいてもよく、例えば、番組開始時間、番組終了時間、番組持続時間（時間的長さ）、番組が送信されるチャンネル、特性情報、およびそれらの組み合わせを含んでいてもよい。その特性情報の例には、番組タイトル、番組テーマ、番組カテゴリ、番組キーワード、番組説明、番組タイプ（例えば、オーディオ、ビデオ、オーディオビジュアル、コンピュータおよびインターネット等）、および番組繰り返し頻度（例えば、週に１回、毎日、等）が含まれている。
【手続補正２２】
【補正対象書類名】明細書
【補正対象項目名】００３１
【補正方法】変更
【補正の内容】
【００３１】
図１の典型例の実施形態において、制御器１１１０は、インターネットから通信インタフェース１１１３を介して電子メッセージを受信する。おそらく、このメッセージは、意図した動作を行えるようにするための興味ある番組に関する充分な情報を含んでいることが好ましい。
【手続補正２３】
【補正対象書類名】明細書
【補正対象項目名】００３２
【補正方法】変更
【補正の内容】
【００３２】
電子メッセージ受信機および／またはプログラム実行装置（例えば、図１および２に示されているタイプの装置）は、番組が現在放送中の場合は、その番組に自動的に同調することにより、それが未だ放送されておらず後の時間に放送されるようスケジュール（予定）されている場合は、将来においてその番組に自動的に同調することにより（例えば、適当なタイマ等をセットすることにより）、またはその番組を自動的に記録することにより受信メッセージに応動する。
【手続補正２４】
【補正対象書類名】明細書
【補正対象項目名】００３３
【補正方法】変更
【補正の内容】
【００３３】
以上説明したように、本発明のインタフェースは、電子番組ガイド（ＥＰＧ）との連係で用いるのに特に良く適している。この点について、電子番組ガイド（ＥＰＧ）は、メニュー４００の全てまたはその一部を構成してもよい。
【手続補正２５】
【補正対象書類名】明細書
【補正対象項目名】００３４
【補正方法】変更
【補正の内容】
【００３４】
図１に示されたホスト装置のテレビジョンを含むバージョン（ｖｅｒｓｉｏｎ：形態）（テレビジョンを含むホスト装置）は記録装置（図示せず）に関連付けられていることが好ましく、選択器は、ユーザが記録を要求していることを電子メッセージが示しているときに、テレビ番組の記録を行わせるように作動させることのできることが好ましい。
【手続補正２６】
【補正対象書類名】図面
【補正対象項目名】図３
【補正方法】変更
【補正の内容】
【図３】
2002534855.tif 000001
【手続補正２７】
【補正対象書類名】図面
【補正対象項目名】図４
【補正方法】変更
【補正の内容】
【図４】
2002534855.tif 000002